(57)【特許請求の範囲】
【請求項１】
電気的な切換え装置を有しているヒューズストリップ（１）を備え、ヒューズストリップ（１）が、弾性チューブ（３）内に並設されている複数の接触要素（2,2a）を有し、接触要素（2,2a）が、静止位置において予め弾性的に付勢されて端面側の接触位置にて互いに接触し合い、且つチューブ（３）の変形時に外部の力の作用で接触を断つように互いに離間するようにしたエッジ閉鎖型ヒューズにおいて、弾性チューブ（３）内に、接触要素（2,2a）の形状に適合し接触要素をそれぞれ個別に収容している弾性的な接触要素用ベッド（4,4a）が形成され、該ベッド（4,4a）を、弾性チューブ（３）に対して不動に弾性チューブ（３）の力作用側に配置することにより、一方では接触要素（2,2a）が接触要素用ベッド（4,4a）内で不動に支持され、他方では接触要素（2,2a）により形成されている接触連鎖体の中心軸線上における曲げ半径が接触要素ベッド（4,4a）の曲げ半径よりも大きいようにしたことを特徴とするエッジ閉鎖型ヒューズ。
【請求項２】
接触要素用ベッド（4,4a）が弾性チューブの片側半分だけに設けられていることを特徴とする、請求項１に記載のエッジ閉鎖型ヒューズ。
【請求項３】
接触要素用ベッド（4,4a）が弾性チューブの内周全体に設けられていることを特徴とする、請求項１に記載のエッジ閉鎖型ヒューズ。
【請求項４】
接触要素（2,2a）をエキスパンダーコード（５）が貫通していることを特徴とする、請求項１から３までのいずれか一つに記載のエッジ閉鎖型ヒューズ。
【請求項５】
接触要素（2,2a）をワイヤー弾性装置が貫通していることを特徴とする、請求項１から４までのいずれか一つに記載のエッジ閉鎖型ヒューズ。
【請求項６】
接触要素（２）が球体として形成されていることを特徴とする、請求項１から５までのいずれか一つに記載のエッジ閉鎖型ヒューズ。
【請求項７】
接触要素（2a）がころ状に形成され、その端面を半球体状に構成されていることを特徴とする、請求項１から５までのいずれか一つに記載のエッジ閉鎖型ヒューズ。
【発明の詳細な説明】
本発明は、独立請求項の前提概念に記載のエッジ閉鎖型ヒューズに関する。
この種のエッジ閉鎖型構成のヒューズは、欧州特許公告第234523号公報に記載されている。この公知の配置構成では、接触要素の間に絶縁くさびリングまたは絶縁リング体が設けられている。これらの絶縁くさびリングまたは絶縁リング体により、これらの絶縁体に最小の圧力が作用しただけで絶縁体と導電性接触部位から成っている接触要素が互いに分断され、これにより切換え過程が発生する。この公知の配置構成は非常に感度がよく、したがって優れた作動を示すが、その製造にコストを要するのが欠点である。また、接触要素間にくさび要素が挿入されているため、比較的大型の構成を必要とし、くさび要素を設けることで、隅角部のエッジが鋭ければ切換え過程が発生する恐れがあるので、切換えストリップの幾何学的形状が制限されてしまう。
欧州特許公開第0103726号公報からは、接触要素を端部を丸くした導電性ピンとして形成し、ピンを絶縁プラスチックに埋設した構成が知られている。この場合ピンの端部はプラスチック体から突出している。プラスチック体は弾性チューブの中に設けられているが、弾性チューブに接触要素用ベッドは形成されておらず、これらのプラスチック体は弾性チューブ内で自由に変位することができる。
本発明の課題は、この種の構成を改善し、低コストに製造でき、コンパクトに実施でき、どのような任意の幾何学的形状も切換えストリップでカバーできるようにすることである。
本発明のこの課題は、独立請求項の特徴部分によって解決される。
有利な構成は従属項に記載されている。
換言すれば、接触連鎖体と収容媒体（例えば異形ゴム）から成るエッジ閉鎖型ヒューズが提案される。この場合接触連鎖体は、球体状またはころ状の要素から成るように構成されている。これらの要素は収容媒体内に形成されるベッド（いわゆる接触要素用ベッド）で支持される。この構成により、従来別個に必要であったくさびローラまたはくさびリングを設ける必要がなくなる。この場合接触要素用ベッドは、接触要素を片側半分だけで収容または取り囲むことができる。その際接触要素用ベッドは弾性的に形成されており、力作用側に向けられている。
この場合従来の技術の場合と同様に、個々の接続要素をエキスパンダーコードまたはドイツ特許公開第2917797号公報の場合のようにワイヤー弾性装置により互いに結合させて、予め付勢することができる。
本発明による構成によれば、一方では球体を球体ベッド内で不動に支持し、他方では接触要素により形成されている接触連鎖体の中心軸線上における曲げ半径が接触要素用ベッドの曲げ半径よりも大きいことにより切換えが行われる。これにより、接触を断絶させる異なる態様が得られる。さらに、本発明による構成においても従来の公知の構成と同様の切換えが行われる。即ち球体ベッドを弾性的に形成することにより、圧力が加わった場合に軸線方向の力成分が生じ、これらの力成分はすべての方向に配分される。
本発明による構成により非常にコンパクトな構成が達成されること、くさびローラ等の付加的に必要な構成要素を設ける必要がないので、エッジ閉鎖型ヒューズの構成を低コストで実現できることは明らかである。球体はコスト上好都合に提供される大量生産部品であり、しかも切換え過程を生じさせるために極めて小さな曲げで十分であるので、非常に感度のよい切換えが達成される。
さらに本発明による構成の非常に重要な利点は、この構成によりどんな任意の幾何学的構成も製造できることである。即ち小さな半径のエッジ閉鎖型ヒューズも、成形部材、異形の窓パッキン、手動スイッチ等を備えたエッジ閉鎖型ヒューズも製造することができる。エキスパンダーコードの予付勢力を調整可能であるので、非平面性、振動等を補償することができる。
次に、本発明の実施形態を図面を用いて説明する。この場合、
図１は  エキスパンダーコードを設けていない第１実施形態を示す図、
図２は  切換え過程を説明するための配置構成図、
図３は  図１の構成にエキスパンダーコードを設けた実施形態の配置構成図、
図４は  回転対称な接触要素用ベッドの配置構成図、
図５は  片側半分に接触要素用ベッドを設けた実施形態の配置構成図、
図６は  接触要素の変形実施形態の配置構成図、
である。
図中１はヒューズストリップで、チューブ３から成っている。チューブ３内には接触要素２と2aが配置されている。接触要素は図１ないし図５に図示した実施形態では球体として形成され、図６の実施形態ではころとして形成されている。ころは半球体状の端面を有しているのが有利である。
図１の配置図からわかるように、球体２は接触要素用ベッド内に設けられている。ベッドは球体の形状に適合しており、例えばチューブを製造する際に形成させることができる。他方、チューブを発泡させて球体を適当なベッドに埋設するようにしてもよい。図４及び図５に示すようにベッドは球体２を回転対称に取り囲んでいるが、チューブの片側だけにベッドを形成してもよい。接触要素用ベッドをチューブの片側だけに設ける場合には、ベッドをチューブの圧力を受ける側に形成する必要がある。
図２は、接触要素２の中心を通るチューブの中心軸線上における曲げ半径がベッドの曲げ半径よりも大きいことを示している。従って、接触を断絶させるようないくつかの異なる態様が得られる。即ちこの場合接触の断絶はたわみの原理に従って行われる。
他方接触の断絶は、接触要素がベッド内に不動に埋設されているので切換えチューブが曲がると互いに引き離されるという事実にも起因している。
図３は、図１の配置構成においてエキスパンダーコード５を挿着した実施形態を示している。これにより接触要素２が互いに引き合うようになるので、非平面性、振動等によりヒューズが切換えられることがない。
図６の実施形態は、ころ状の接触要素2aがその球体状の本体により互いに接触し合い、しかも接触要素のベッド4aがころ状の接触要素の適当な凹部に係合する突起により形成されているような構成である。この実施形態においてもエキスパンダーコードを設けても設けなくてもよい。
【図１】
0003647879.tif 000002
【図２】
0003647879.tif 000003
【図３】
0003647879.tif 000004
【図４】
0003647879.tif 000005
【図５】
0003647879.tif 000006
【図６】
0003647879.tif 000007